【手続補正書】
【提出日】平成19年11月8日(2007.11.8)
【手続補正１】
【補正対象書類名】特許請求の範囲
【補正対象項目名】全文
【補正方法】変更
【補正の内容】
【特許請求の範囲】
【請求項１】
（ａ）ヒドロフルオロカーボン、ヒドロクロロフルオロカーボン、パーフルオロカーボン、ヒドロフルオロカーボンエーテル、パーフルオロカーボンエーテル、炭化水素、二酸化炭素、アンモニア、およびジメチルエーテルからなる群から選択される少なくとも１つの冷媒と；
（ｂ）有効量のトレーサーであって、前記冷媒と異なるトレーサーと
を含むことを特徴とする検出可能な冷媒組成物。
【請求項２】
その存在を検出するために請求項１に記載の冷媒組成物を使用する方法であって、前記冷媒が、ヒドロフルオロカーボン、ヒドロクロロフルオロカーボン、パーフルオロカーボン、ヒドロフルオロカーボンエーテル、パーフルオロカーボンエーテル、炭化水素、二酸化炭素、アンモニア、およびジメチルエーテルからなる群から選択される少なくとも１つのメンバーであり、前記方法が、前記冷媒組成物の付近で前記トレーサーを検出する手段を有する検出器を提供する工程を含むことを特徴とする方法。
【請求項３】
請求項１に記載の検出可能な冷媒組成物における少なくとも１つのガス成分を分析する方法であって、
（ａ）少なくとも２つの化学／電気活性材料のアレイを提供する工程であって、各化学／電気活性材料が、互いの化学／電気活性材料と比べて、前記冷媒中の個々のガス成分への暴露時に異なる電気応答特性を示す工程と；
（ｂ）前記アレイを前記冷媒組成物に暴露する工程と；
（ｃ）前記冷媒に対する前記アレイの暴露時の各化学／電気活性材料の電気応答を測定する工程と；
（ｄ）電気応答の値から個々のガス成分を分析する工程とを含むことを特徴とする方法。
【請求項４】
検出可能な冷媒の組成物であって、前記冷媒が、ヒドロフルオロカーボン、ヒドロクロロフルオロカーボン、パーフルオロカーボン、ヒドロフルオロカーボンエーテル、パーフルオロカーボンエーテル、炭化水素、二酸化炭素、アンモニア、およびジメチルエーテル、および検出可能な冷媒組成物を製造するための有効量のトレーサーからなる群から選択される少なくとも１つのメンバーであり、前記冷媒組成物が容器内に存在し、前記容器の外部に前記冷媒−トレーサー混合物中の前記トレーサーを検出する手段を有することを特徴とする検出可能な冷媒の組成物。
【手続補正２】
【補正対象書類名】明細書
【補正対象項目名】００６３
【補正方法】変更
【補正の内容】
【００６３】
このデータから、トレーサーを添加することによって、検出器でＨＦＣ−１５２ａの漏洩を検出することが可能となるが、トレーサーが存在することなく漏洩を検出することはできないことが示されている。
以下に、本発明の好ましい態様を示す。
［１］  （ａ）ヒドロフルオロカーボン、ヒドロクロロフルオロカーボン、パーフルオロカーボン、ヒドロフルオロカーボンエーテル、パーフルオロカーボンエーテル、炭化水素、二酸化炭素、アンモニア、およびジメチルエーテルからなる群から選択される少なくとも１つの冷媒と；
（ｂ）有効量のトレーサーであって、前記冷媒と異なるトレーサーと
を含むことを特徴とする検出可能な冷媒組成物。
［２］  前記冷媒が、
フルオロメタン（ＨＦＣ−４１）、
ジフルオロメタン（ＨＦＣ−３２）、
トリフルオロメタン（ＨＦＣ−２３）、
フルオロエタン（ＨＦＣ−１６１）、
１，１−ジフルオロエタン（ＨＦＣ−１５２ａ）、
１，１，１−トリフルオロエタン（ＨＦＣ−１４３ａ）、
１，１，１，２−テトラフルオロエタン（ＨＦＣ−１３４ａ）、
１，１，２，２−テトラフルオロエタン（ＨＦＣ−１３４）または
１，１，１，２，２−ペンタフルオロエタン（ＨＦＣ−１２５）、
から選択されるヒドロフルオロカーボン冷媒、
クロロジフルオロメタン（ＨＣＦＣ−２２）、
２−クロロ−１，１，１−トリフルオロエタン（ＨＣＦＣ−１２３）、
２−クロロ−１，１，１，２−テトラフルオロエタン（ＨＣＦＣ−１２４）、または
１−クロロ−１，１−ジフルオロエタン（ＨＣＦＣ−１４２ｂ）
から選択されるヒドロクロロフルオロカーボン冷媒、
テトラフルオロメタン（ＰＦＣ−１４）、
ヘキサフルオロエタン（ＰＦＣ−１１６）、
オクタフルオロプロパン（ＰＦＣ−２１８）、または
デカフルオロブタン（ＰＦＣ−３１−１０）
から選択されるパーフルオロカーボン冷媒、
ＣＦ３ＯＣＨＦ２（ＨＦＥ−１２５）、
ＣＦ３ＯＣＨ３（ＨＦＥ−１４３ａ）、
ＣＦ３ＯＣＨ２Ｆ（ＨＦＥ−１３４ａ）、
ＣＨＦ２ＯＣＨＦ２（ＨＦＣ−１３４）、
シクロ−（ＣＦ２ＣＦ２ＣＦ２Ｏ−）（ＨＦＥ−ｃ２１６）、
ＣＦ３ＣＦ２ＯＣＨ３（ＨＦＥ−２４５ｃｂＥｂｇ）
ＣＨＦ２ＯＣＨＦＣＦ３（ＨＦＥ−２３６ｅａＥｂｇ）、ＣＨＦ２ＣＦ２ＯＣＨ３（ＨＦＥ−２５４ｃｂ２）、Ｃ４Ｆ９ＯＣＨ３（ＨＦＥ−７１００）；または
Ｃ４Ｆ９ＯＣ２Ｈ５（ＨＦＥ−７２００）；
から選択されるヒドロフルオロカーボンエーテル冷媒、
ＣＦ３ＯＣＦ３、ＣＦ３ＯＣ２Ｆ５またはＣ２Ｆ５ＯＣ２Ｆ５またはＣＦ３ＯＣＦ（ＣＦ３）ＣＦ（ＣＦ３）ＯＣＦ３
から選択されるパーフルオロカーボンエーテル冷媒、
メタン、エタン、プロパン、シクロプロパン、プロピレン、ｎ−ブタン、シクロブタン、２−メチルプロパン、メチルシクロプロパン、ｎ−ペンタン、シクロペンタン、２−メチルブタン、メチルシクロブタン、２，２−ジメチルプロパンまたはジメチルシクロプロパン異性体から選択される炭化水素冷媒であることを特徴とする［１］に記載の組成物。
［３］  その存在を検出するために［１］に記載の冷媒組成物を使用する方法であって、前記冷媒が、ヒドロフルオロカーボン、ヒドロクロロフルオロカーボン、パーフルオロカーボン、ヒドロフルオロカーボンエーテル、パーフルオロカーボンエーテル、炭化水素、二酸化炭素、アンモニア、およびジメチルエーテルからなる群から選択される少なくとも１つのメンバーであり、前記方法が、前記冷媒組成物の付近で前記トレーサーを検出する手段を有する検出器を提供する工程を含むことを特徴とする方法。
［４］  前記方法が、蒸気圧縮冷凍または空調システム、または熱ポンプシステムにおける漏洩を検出するために使用されることを特徴とする［３］に記載の方法。
［５］  ［１］に記載の検出可能な冷媒組成物における少なくとも１つのガス成分を分析する方法であって、
（ａ）少なくとも２つの化学／電気活性材料のアレイを提供する工程であって、各化学／電気活性材料が、互いの化学／電気活性材料と比べて、前記冷媒中の個々のガス成分への暴露時に異なる電気応答特性を示す工程と；
（ｂ）前記アレイを前記冷媒組成物に暴露する工程と；
（ｃ）前記冷媒に対する前記アレイの暴露時の各化学／電気活性材料の電気応答を測定する工程と；
（ｄ）電気応答の値から個々のガス成分を分析する工程とを含むことを特徴とする方法。
［６］  前記冷媒が、
フルオロメタン（ＨＦＣ−４１）、
ジフルオロメタン（ＨＦＣ−３２）、
トリフルオロメタン（ＨＦＣ−２３）、
フルオロエタン（ＨＦＣ−１６１）、
１，１−ジフルオロエタン（ＨＦＣ−１５２ａ）、
１，１，１−トリフルオロエタン（ＨＦＣ−１４３ａ）、
１，１，１，２−テトラフルオロエタン（ＨＦＣ−１３４ａ）、
１，１，２，２−テトラフルオロエタン（ＨＦＣ−１３４）または
１，１，１，２，２−ペンタフルオロエタン（ＨＦＣ−１２５）、
から選択されるヒドロフルオロカーボン冷媒、
クロロジフルオロメタン（ＨＣＦＣ−２２）、
２−クロロ−１，１，１−トリフルオロエタン（ＨＣＦＣ−１２３）、
２−クロロ−１，１，１，２−テトラフルオロエタン（ＨＣＦＣ−１２４）、または
１−クロロ−１，１−ジフルオロエタン（ＨＣＦＣ−１４２ｂ）
から選択されるヒドロクロロフルオロカーボン冷媒、
テトラフルオロメタン（ＰＦＣ−１４）、
ヘキサフルオロエタン（ＰＦＣ−１１６）、
オクタフルオロプロパン（ＰＦＣ−２１８）、または
デカフルオロブタン（ＰＦＣ−３１−１０）
から選択されるパーフルオロカーボン冷媒、
ＣＦ３ＯＣＨＦ２（ＨＦＥ−１２５）、
ＣＦ３ＯＣＨ３（ＨＦＥ−１４３ａ）、
ＣＦ３ＯＣＨ２Ｆ（ＨＦＥ−１３４ａ）、
ＣＨＦ２ＯＣＨＦ２（ＨＦＣ−１３４）、
シクロ−（ＣＦ２ＣＦ２ＣＦ２Ｏ−）（ＨＦＥ−ｃ２１６）、
ＣＦ３ＣＦ２ＯＣＨ３（ＨＦＥ−２４５ｃｂＥｂｇ）、または
ＣＨＦ２ＯＣＨＦＣＦ３（ＨＦＥ−２３６ｅａＥｂｇ）、ＣＨＦ２ＣＦ２ＯＣＨ３（ＨＦＥ−２５４ｃｂ２）、Ｃ４Ｆ９ＯＣＨ３（ＨＦＥ−７１００）、または
Ｃ４Ｆ９ＯＣ２Ｈ５（ＨＦＥ−７２００）；
から選択されるヒドロフルオロカーボンエーテル冷媒、
ＣＦ３ＯＣＦ３、ＣＦ３ＯＣ２Ｆ５またはＣ２Ｆ５ＯＣ２Ｆ５またはＣＦ３ＯＣＦ（ＣＦ３）ＣＦ（ＣＦ３）ＯＣＦ３
から選択されるパーフルオロカーボンエーテル冷媒、
メタン、エタン、プロパン、シクロプロパン、プロピレン、ｎ−ブタン、シクロブタン、２−メチルプロパン、メチルシクロプロパン、ｎ−ペンタン、シクロペンタン、２−メチルブタン、メチルシクロブタン、２，２−ジメチルプロパンまたはジメチルシクロプロパン異性体から選択される炭化水素冷媒であることを特徴とする［３］、［４］または［５］に記載の方法。
［７］  任意選択的に、化学／電気活性材料の電気応答の測定とは無関係に、前記冷媒組成物の温度値を測定する工程と；
任意選択的に、デジタル化された電気応答および温度値からの値の計算を可能にするように、電気応答および温度値をデジタル化する工程と；
任意選択的に、ガス成分を分析する工程と
をさらに含むことを特徴とする［５］に記載の方法。
［８］  検出可能な冷媒の組成物であって、前記冷媒が、ヒドロフルオロカーボン、ヒドロクロロフルオロカーボン、パーフルオロカーボン、ヒドロフルオロカーボンエーテル、パーフルオロカーボンエーテル、炭化水素、二酸化炭素、アンモニア、およびジメチルエーテル、および検出可能な冷媒組成物を製造するための有効量のトレーサーからなる群から選択される少なくとも１つのメンバーであり、前記冷媒組成物が容器内に存在し、前記容器の外部に前記冷媒−トレーサー混合物中の前記トレーサーを検出する手段を有することを特徴とする検出可能な冷媒の組成物。
［９］  前記ヒドロフルオロカーボン冷媒が、
フルオロメタン（ＨＦＣ−４１）、
ジフルオロメタン（ＨＦＣ−３２）、
トリフルオロメタン（ＨＦＣ−２３）、
フルオロエタン（ＨＦＣ−１６１）、
１，１−ジフルオロエタン（ＨＦＣ−１５２ａ）、
１，１，１−トリフルオロエタン（ＨＦＣ−１４３ａ）、
１，１，１，２−テトラフルオロエタン（ＨＦＣ−１３４ａ）、
１，１，２，２−テトラフルオロエタン（ＨＦＣ−１３４）、または
１，１，１，２，２−ペンタフルオロエタン（ＨＦＣ−１２５）であり、
前記ヒドロクロロフルオロカーボン冷媒が、
クロロジフルオロメタン（ＨＣＦＣ−２２）、
２−クロロ−１，１，１−トリフルオロエタン（ＨＣＦＣ−１２３）、
２−クロロ−１，１，１，２−テトラフルオロエタン（ＨＣＦＣ−１２４）、または
１−クロロ−１，１−ジフルオロエタン（ＨＣＦＣ−１４２ｂ）であり、
前記パーフルオロカーボン冷媒が、
テトラフルオロメタン（ＰＦＣ−１４）、
ヘキサフルオロエタン（ＰＦＣ−１１６）、
オクタフルオロプロパン（ＰＦＣ−２１８）または
デカフルオロブタン（ＰＦＣ−３１−１０）であり、
前記ヒドロフルオロカーボンエーテル冷媒が、
ＣＦ３ＯＣＨＦ２（ＨＦＥ−１２５）、
ＣＦ３ＯＣＨ３（ＨＦＥ−１４３ａ）、
ＣＦ３ＯＣＨ２Ｆ（ＨＦＥ−１３４ａ）、
ＣＨＦ２ＯＣＨＦ２（ＨＦＣ−１３４）、
シクロ−（ＣＦ２ＣＦ２ＣＦ２Ｏ−）（ＨＦＥ−ｃ２１６）、
ＣＦ３ＣＦ２ＯＣＨ３（ＨＦＥ−２４５ｃｂＥｂｇ）
ＣＨＦ２ＯＣＨＦＣＦ３（ＨＦＥ−２３６ｅａＥｂｇ）、ＣＨＦ２ＣＦ２ＯＣＨ３（ＨＦＥ−２５４ｃｂ２）、Ｃ４Ｆ９ＯＣＨ３（ＨＦＥ−７１００）；または
Ｃ４Ｆ９ＯＣ２Ｈ５（ＨＦＥ−７２００）；であり、
前記パーフルオロカーボンエーテル冷媒が、ＣＦ３ＯＣＦ３、ＣＦ３ＯＣ２Ｆ５またはＣ２Ｆ５ＯＣ２Ｆ５またはＣＦ３ＯＣＦ（ＣＦ３）ＣＦ（ＣＦ３）ＯＣＦ３であり、
前記炭化水素冷媒が、メタン、エタン、プロパン、シクロプロパン、プロピレン、ｎ−ブタン、シクロブタン、２−メチルプロパン、メチルシクロプロパン、ｎ−ペンタン、シクロペンタン、２−メチルブタン、メチルシクロブタン、２，２−ジメチルプロパンまたはジメチルシクロプロパン異性体であることを特徴とする［８］に記載の組成物。
［１０］  前記トレーサーが、
Ｃ１−５ヒドロフルオロカーボン、
Ｃ１−２ヒドロクロロフルオロカーボン、
Ｃ１−４ヒドロクロロカーボン、
Ｃ２−６フルオロエーテル、
Ｃ１−５炭化水素、
Ｃ１−３炭化水素アルコール、
Ｃ１−３炭化水素アミン、
Ｃ１−３炭化水素メルカプタン、
Ｃ１−４炭化水素エーテル、
Ｃ３−４炭化水素ケトン、
Ｃ３−４ブロモフルオロケトン、
Ｃ２−４炭化水素アルデヒド、
１，１，１−トリフルオロトルエン
ｐ−クロロ−１，１，１−トリフルオロトルエン
二酸化硫黄、
酸化窒素、
エタノールアミン、
アンモニア、
ヨウ化パーフルオロメチル、および
ヨウ化パーフルオロエチル
からなる群から選択される少なくとも１つのメンバーであることを特徴とする［１］に記載の組成物。
［１１］  前記トレーサーが、
フルオロメタン（ＨＦＣ−４１）、
ジフルオロメタン（ＨＦＣ−３２）、
トリフルオロメタン（ＨＦＣ−２３）、
フルオロエタン（ＨＦＣ−１６１）、
１，１−ジフルオロエタン（ＨＦＣ−１５２ａ）、
１，１，１−トリフルオロエタン（ＨＦＣ−１４３ａ）、
１，１，１，２−テトラフルオロエタン（ＨＦＣ−１３４ａ）、
１，１，２，２−テトラフルオロエタン（ＨＦＣ−１３４）
１，１，１，２，２−ペンタフルオロエタン（ＨＦＣ−１２５）、
１，１，１，３，３，３−ヘキサフルオロプロパン（ＨＦＣ−２３６ｆａ）、
１，１，１，２，３，３，３−ヘプタフルオロプロパン（ＨＦＣ−２２７ｅａ）または
１，１，２，２，３，３，４，４，−オクタフルオロブタン（ＨＦＣ−３３８ｐｃｃ）から選択されるヒドロフルオロカーボン、
クロロジフルオロメタン（ＨＣＦＣ−２２）、
２−クロロ−１，１，１−トリフルオロエタン（ＨＣＦＣ−１２３）、
２−クロロ−１，１，１，２−テトラフルオロエタン（ＨＣＦＣ−１２４）または
１−クロロ−１，１−ジフルオロエタン（ＨＣＦＣ−１４２ｂ）から選択されるヒドロクロロフルオロカーボン、
トランス−１，２−ジクロロエチレン、塩化メチル、塩化メチレン、塩化エチル、塩化１−プロピルおよび塩化２−プロピルから選択されるヒドロクロロカーボン、
ＣＦ３ＯＣＨＦ２（ＨＦＥ−１２５）、
ＣＦ３ＯＣＨ３（ＨＦＥ−１４３ａ）、
ＣＦ３ＯＣＨ２Ｆ（ＨＦＥ−１３４ａ）、
ＣＨＦ２ＯＣＨＦ２（ＨＦＣ−１３４）、
シクロ−（ＣＦ２ＣＦ２ＣＦ２Ｏ−）（ＨＦＥ−ｃ２１６）、
ＣＦ３ＣＦ２ＯＣＨ３（ＨＦＥ−２４５ｃｂＥｂｇ）、
ＣＨＦ２ＯＣＨＦＣＦ３（ＨＦＥ−２３６ｅａＥｂｇ）、
Ｃ４Ｆ９ＯＣＨ３（ＨＦＥ−７１００）、または
Ｃ４Ｆ９ＯＣ２Ｈ５（ＨＦＥ−７２００）；から選択されるフルオロエーテル、
メタン、エタン、プロパン、シクロプロパン、プロピレン、ｎ−ブタン、シクロブタン、２−メチルプロパン、メチルシクロプロパン、ｎ−ペンタン、シクロペンタン、２−メチルブタン、メチルシクロブタン、２，２−ジメチルプロパンまたはジメチルシクロプロパン異性体から選択される炭化水素、
メタノール、エタノール、１−プロパノールまたは２−プロパノールから選択される炭化水素アルコール、
メチルアミンまたはエチルアミンから選択される炭化水素アミン、
エチルメルカプタンから選択される炭化水素メルカプタン、
ジメチルエーテル、エチルメチルエーテルまたはジエチルエーテルから選択される炭化水素エーテル、
プロパノンまたはブタノンから選択される炭化水素ケトン、
ＣＦ３Ｃ（Ｏ）ＣＢｒＦＣＦ２ＣＦ３；
ＣＦ３Ｃ（Ｏ）ＣＦ２ＣＦ２ＣＢｒＦ２；
ＣＢｒＦ２Ｃ（Ｏ）ＣＦ（ＣＦ３）２；
ＣＦ３Ｃ（Ｏ）ＣＢｒ（ＣＦ３）２；
ＣＢｒＦ２ＣＦ２Ｃ（Ｏ）ＣＦ２ＣＦ３；
ＣＦ３ＣＢｒＦＣ（Ｏ）ＣＦ２ＣＦ３；
ＣＦ３ＣＢｒＦＣ（Ｏ）ＣＦ２ＣＦ２ＣＦ３；
ＣＦ３ＣＦ２Ｃ（Ｏ）ＣＢｒＦＣＦ２ＣＦ３；
ＣＦ３ＣＦ２Ｃ（Ｏ）ＣＦ２ＣＦ２ＣＢｒＦ２；
ＣＦ３Ｃ（Ｏ）ＣＢｒ（ＣＦ３）ＣＦ２ＣＦ３；
ＣＦ３Ｃ（Ｏ）ＣＦ（ＣＦ３）ＣＢｒＦＣＦ３；
ＣＦ３Ｃ（Ｏ）ＣＢｒＦＣＦ２ＣＦ２ＣＦ２ＣＦ３；
ＣＦ３Ｃ（Ｏ）ＣＦ２ＣＦ２ＣＦ２ＣＦ２ＣＢｒＦ２；
ＣＦ３ＣＢｒＦＣ（Ｏ）ＣＦ２ＣＦ２ＣＦ２ＣＦ３；
ＣＦ３ＣＦ２Ｃ（Ｏ）ＣＢｒＦＣＦ２ＣＦ２ＣＦ３；
ＣＦ３ＣＦ２Ｃ（Ｏ）ＣＦ２ＣＦ２ＣＦ２ＣＢｒＦ２；
ＣＦ３ＣＦ２ＣＢｒＦＣ（Ｏ）ＣＦ２ＣＦ２ＣＦ３；
ＣＢｒＦ２ＣＦ２Ｃ（Ｏ）ＣＦ（ＣＦ３）ＣＦ２ＣＦ３；
ＣＦ３ＣＢｒＦＣ（Ｏ）ＣＦ（ＣＦ３）ＣＦ２ＣＦ３；
ＣＦ３ＣＦ２Ｃ（Ｏ）ＣＢｒ（ＣＦ３）ＣＦ２ＣＦ３；
ＣＦ３ＣＦ２Ｃ（Ｏ）ＣＦ（ＣＢｒＦ２）ＣＦ２ＣＦ３；
ＣＢｒＦ２ＣＦ２ＣＦ２Ｃ（Ｏ）ＣＦ（ＣＦ３）２；
ＣＦ３ＣＦ２ＣＢｒＦＣ（Ｏ）ＣＦ（ＣＦ３）２；
ＣＦ３ＣＦ２ＣＦ２Ｃ（Ｏ）ＣＢｒ（ＣＦ３）２；
（ＣＦ３）２ＣＢｒＣ（Ｏ）ＣＦ（ＣＦ３）２；
ＣＦ３ＣＢｒＦＣＦ２Ｃ（Ｏ）ＣＦ（ＣＦ３）２；
ＣＨＦ２ＣＦ２Ｃ（Ｏ）ＣＢｒ（ＣＦ３）２；
（ＣＦ３）２ＣＨＣ（Ｏ）ＣＢｒ（ＣＦ３）２；
ＣＨＦ２ＣＦ２Ｃ（Ｏ）ＣＢｒＦＣＦ３；
（ＣＦ３）２ＣＨＣ（Ｏ）ＣＢｒＦＣＦ３；
（ＣＦ３）２ＣＨＣ（Ｏ）ＣＢｒＦ２；
ＣＢｒＦ２ＣＦ２Ｃ（Ｏ）ＣＨ（ＣＦ３）２；
ＣＢｒＦ２Ｃ（Ｏ）ＣＦ（ＣＦ３）ＯＣＦ３；
ＣＢｒＦ２ＣＦ２Ｃ（Ｏ）ＣＦ（ＣＦ３）ＯＣＦ３；
ＣＢｒＦ２ＣＦ２ＣＦ２Ｃ（Ｏ）ＣＦ（ＣＦ３）ＯＣＦ３；
ＣＢｒＦ２Ｃ（Ｏ）ＣＦ（ＣＦ３）ＯＣ２Ｆ５；
ＣＢｒＦ２ＣＦ２Ｃ（Ｏ）ＣＦ（ＣＦ３）ＯＣ２Ｆ５；
ＣＢｒＦ２Ｃ（Ｏ）ＣＦ（ＣＦ３）ＯＣＦ２Ｃ２Ｆ５；
ＣＢｒＦ２ＣＦ２Ｃ（Ｏ）ＣＦ（ＣＦ３）ＯＣＦ２Ｃ２Ｆ５；
ＣＢｒＦ２Ｃ（Ｏ）ＣＦ（ＣＦ３）ＯＣＦ（ＣＦ３）２；
ＣＢｒＦ２ＣＦ２Ｃ（Ｏ）ＣＦ（ＣＦ３）ＯＣＦ（ＣＦ３）２；
ＣＦ３ＣＢｒＦＣ（Ｏ）ＣＦ（ＣＦ３）ＯＣＦ（ＣＦ３）２；
ＣＦ３ＣＢｒＦＣ（Ｏ）ＣＦ（ＣＦ３）ＯＣＦ３；
ＣＦ３ＣＢｒＦＣ（Ｏ）ＣＦ（ＣＦ３）ＯＣ２Ｆ５；
ＣＦ３ＣＢｒＦＣ（Ｏ）ＣＦ（ＣＦ３）ＯＣＦ３；
（ＣＦ３）２ＣＢｒＣ（Ｏ）ＣＦ（ＣＦ３）ＯＣＦ３；
ＣＦ３ＣＢｒＦＣ（Ｏ）ＣＦ（ＣＦ３）ＯＣ２Ｆ５；
（ＣＦ３）２ＣＢｒＣ（Ｏ）ＣＦ（ＣＦ３）ＯＣ２Ｆ５；
ＣＦ３ＣＢｒＦＣ（Ｏ）ＣＦ（ＣＦ３）ＯＣＦ２Ｃ２Ｆ５；
ＣＦ３ＣＢｒＦＣ（Ｏ）ＣＦ（ＣＦ３）ＯＣＦ（ＣＦ３）２；
ＣＢｒＦ２Ｃ（Ｏ）ＣＦ（ＯＣＦ２ＣＨＦ２）ＣＦ３；
ＣＢｒＦ２Ｃ（Ｏ）ＣＨ（ＯＣＦ２ＣＨＦ２）ＣＦ３；
ＣＢｒＦ２Ｃ（Ｏ）ＣＦ（ＯＣＨ３）ＣＦ３；
ＣＢｒＦ２Ｃ（Ｏ）ＣＦ（ＣＦ２ＯＣＨ３）ＣＦ３；
ＣＣｌＦ２ＣＦＢｒＣ（Ｏ）ＣＦ２ＣＦ３；
ＣＢｒＦ２ＣＦＣｌＣ（Ｏ）ＣＦ２ＣＦ３；
ＣＣｌＦ２ＣＦＢｒＣ（Ｏ）ＣＦ（ＣＦ３）２；
ＣＢｒＦ２ＣＦＣｌＣ（Ｏ）ＣＦ（ＣＦ３）２；
ＣＣｌＦ２ＣＦＢｒＣ（Ｏ）ＣＦ（ＣＦ３）（Ｃ２Ｆ５）；
ＣＢｒＦ２ＣＦＣｌＣ（Ｏ）ＣＦ（ＣＦ３）（Ｃ２Ｆ５）；
ＣＣｌＦ２Ｃ（Ｏ）ＣＢｒ（ＣＦ３）２；
ＣＣｌＦ２ＣＦ２Ｃ（Ｏ）ＣＢｒ（ＣＦ３）２；
ＣＦ３ＣＣｌＦＣ（Ｏ）ＣＢｒ（ＣＦ３）２；
ＣＣｌＦ２Ｃ（Ｏ）ＣＢｒＦＣＦ３；
ＣＣｌＦ２ＣＦ２（Ｏ）ＣＣＢｒＦＣＦ３；
ＣＦ３ＣＣｌＦＣ（Ｏ）ＣＢｒＦＣＦ３；
ＣＢｒＦ２Ｃ（Ｏ）ＣＣｌ（ＣＦ３）２；
ＣＢｒＦ２ＣＦ２Ｃ（Ｏ）ＣＣｌ（ＣＦ３）２；
ＣＢｒＦ２Ｃ（Ｏ）ＣＣｌＦＣＦ３；または
ＣＢｒＦ２ＣＦ２Ｃ（Ｏ）ＣＣｌＦＣＦ３；から選択されるブロモフルオロケトン、
アセトアルデヒドまたはプロピオンアルデヒドから選択される炭化水素アルデヒド、
二酸化硫黄、または
一酸化窒素または亜酸化窒素から選択される窒素酸化物、
のうちの少なくとも１つであることを特徴とする［１］に記載の組成物。
［１２］  前記組成物が、前記冷媒と前記トレーサーの総重量を基準にして、トレーサー約０．００１〜約５重量％を含むことを特徴とする［１］に記載の組成物。
［１３］  前記組成物が、前記冷媒と前記トレーサーの総重量を基準にして、トレーサー約０．０１〜約１重量％を含むことを特徴とする［１］に記載の組成物。
［１４］  前記トレーサーが、２５℃において、前記冷媒の２５℃での蒸気圧の約０．０１〜約５００倍の蒸気圧を有することを特徴とする［１］に記載の組成物。
［１５］  前記トレーサーが、２５℃において、前記冷媒の２５℃での蒸気圧の約１〜約３００の蒸気圧を有することを特徴とする［１］に記載の組成物。
［１６］  前記トレーサーを検出する前記手段が、化学／電気活性アレイ検出器、コロナ放電検出器、加熱されたダイオード検出器、加熱された電気化学検出器、光イオン化検出器、赤外線検出器、超音波検出器または電子捕獲検出器を含むことを特徴とする［３］に記載の方法。